【事件の表示】
　特許第５８０５３４４号発明「光コネクタアセンブリおよびシャッタ付き光コネクタアダプタ」の特許異議申立事件について、次のとおり決定する。
【結　論】
　特許第５８０５３４４号の明細書、特許請求の範囲を訂正請求書に添付された訂正明細書、特許請求の範囲のとおり、訂正後の請求項〔１−１１〕について訂正することを認める。
　本件特許異議の申立てを却下する。
【理　由】
１．手続の経緯
　特許第５８０５３４４号の請求項１ないし２２に係る特許についての出願は、平成２７年６月２日（優先日、優先権主張番号　特願２０１４−１７７９８３、平成２６年９月２日、特願２０１４−１７７９８４、平成２６年９月２日）に特許出願され、平成２７年９月１１日にその特許権の設定登録がされ、その後、その請求項１及び２に係る特許について、特許異議申立人出川栄一郎により特許異議の申立てがされ、平成２８年８月１日付けで取消理由が通知され、その指定期間内である平成２８年９月２８日に意見書の提出及び訂正の請求（以下「本件訂正請求」という。）がされたものである。
２．訂正の適否についての判断
（１）訂正の内容
　本件訂正請求による訂正の内容は以下のア〜オのとおりである。
ア　訂正事項１
　特許請求の範囲の請求項１を削除する。
イ　訂正事項２
　特許請求の範囲の請求項２を削除する。
ウ　訂正事項３
　特許請求の範囲の請求項３に「
請求項１または請求項２のいずれか一項
第一の光コネクタプラグが挿抜される第一のプラグ挿抜孔と第二の光コネクタプラグが挿抜される第二のプラグ挿抜孔とが対向して設けられた光コネクタアダプタと、光ファイバが支持され、前記第一のプラグ挿抜孔に挿し入れられた第一の光コネクタプラグと、を備えた
　また、同請求項３に「
前記光放射機能を有する高光パワー対策手段として、前記プラグ挿抜孔の側壁には、前記プラグ挿抜孔から前記アダプタ本体の外部に貫通する貫通部が設けられている
「
前記光コネクタアダプタは、
（ａ）前記第一のプラグ挿抜孔および前記第二のプラグ挿抜孔が設けられたアダプタ本体と、
（ｂ）前記第二のプラグ挿抜孔に配置されたシャッタ板と、
（ｃ）光放射機能を有する高光パワー対策手段と、を備え、
前記第一の光コネクタプラグに支持された光ファイバから前記第二のプラグ挿抜孔に向かって光が出射され、前記光が前記第二のプラグ挿抜孔に配置された前記シャッタ板によって反射され、前記第二のプラグ挿抜孔の側壁に向かって照射され、前記側壁の、前記光が照射される範囲の全体または一部には、前記光放射機能を有する高光パワー対策手段が講じられており、
前記光放射機能を有する高光パワー対策手段として、前記プラグ挿抜孔の側壁には、前記プラグ挿抜孔から前記アダプタ本体の外部に貫通する貫通部が設けられていることを特徴とするシャッタ付き光コネクタアダプタ。」に訂正する。
エ　訂正事項４
　訂正前の請求項３を引用する請求項４〜１１を、訂正後の請求項３を引用する請求項４〜１１に訂正する。
オ　訂正事項５
　願書に添付した明細書の段落【００１２】に「を備えた光コネクタアセンブリであって、光コネクタアダプタは、」とあるのを「を備えた光コネクタアセンブリ
に用いられる光コネクタアダプタ
当該
　また、同段落【００１２】に「
光放射機能
おり、前記光放射機能を有する高光パワー対策手段として、前記プラグ挿抜孔の側壁には、前記プラグ挿抜孔から前記アダプタ本体の外部に貫通する貫通部が設けられて
シャッタ付き
アダプタ
（２）訂正の目的の適否、新規事項の有無、特許請求の範囲の拡張・変更の存否、独立特許要件、及び一群の請求項について
ア　訂正事項１及び訂正事項２について
　訂正事項１及び訂正事項２は、それぞれ訂正前の請求項１及び請求項２を削除するものであるから、いずれも、特許法第１２０条の５第２項ただし書第１号に掲げる特許請求の範囲の減縮を目的とするものに該当する。
　また、訂正事項１及び訂正事項２は、願書に添付した明細書、特許請求の範囲又は図面に記載した事項の範囲内においてしたものであるから、特許法第１２０条の５第９項で準用する同法第１２６条第５項の規定に適合する。
　また、訂正事項１及び訂正事項２は、実質上特許請求の範囲を拡張し、又は変更するものではないから、特許法第１２０条の５第９項で準用する同法第１２６条第６項の規定に適合する。
イ　訂正事項３について
（ア）訂正事項３は、訂正後の請求項３を、請求項２は引用しないものとするとともに、請求項１の記載を含む形で書き下ろして、請求項１又は２との引用関係を解消する訂正を行うものであるから、特許法第１２０条の５第２項ただし書第１号に掲げる特許請求の範囲の減縮、及び同項ただし書第４号に掲げる他の請求項の記載を引用する請求項の記載を当該他の請求項の記載を引用しないものとすることを目的とするものに該当する。
　また、訂正事項３は、願書に添付した明細書、特許請求の範囲又は図面に記載した事項の範囲内においてしたものであるから、特許法第１２０条の５第９項で準用する同法第１２６条第５項の規定に適合する。
　また、訂正事項３は、実質上特許請求の範囲を拡張し、又は変更するものではないから、特許法第１２０条の５第９項で準用する同法第１２６条第６項の規定に適合する。
（イ）訂正事項３は、特許請求の範囲の減縮を目的とするものであり、特許法第１２０条の５第２項ただし書第１号に掲げる事項を目的とするものに該当するから、訂正後における請求項３に記載されている事項により特定される発明が特許出願の際独立して特許を受けることができるものであるか否かについて検討する。
　訂正事項３は、訂正後の請求項３において、請求項２は引用しないものとするとともに、訂正前の請求項１に記載していた内容を、請求項３に含ませて書き下ろしたものである。
　そして、訂正前の請求項３に記載されている事項により特定される発明は特許出願の際独立して特許を受けることができるものである。
　したがって、当該訂正事項３に係る訂正後の請求項３に記載されている事項により特定される発明は、特許出願の際独立して特許を受けることができるものであり、特許法第１２０条の５第９項で読み替えて準用する同法第１２６条第７項の規定に適合する。
ウ　訂正事項４について
（ア）訂正事項４は、訂正前の請求項３を引用する請求項４〜１１を、訂正事項３によって訂正された訂正後の請求項３を引用する請求項４〜１１に訂正するものであるから、訂正事項４は、特許請求の範囲の減縮を目的とするものであり、特許法第１２０条の５第２項ただし書第１号に掲げる事項を目的とするものに該当する。
　また、訂正事項４は、願書に添付した明細書、特許請求の範囲又は図面に記載した事項の範囲内においてしたものであるから、特許法第１２０条の５第９項で準用する同法第１２６条第５項の規定に適合する。
　また、訂正事項４は、実質上特許請求の範囲を拡張し、又は変更するものではないから、特許法第１２０条の５第９項で準用する同法第１２６条第６項の規定に適合する。
（イ）訂正事項４は、特許請求の範囲の減縮を目的とするものであり、特許法第１２０条の５第２項ただし書第１号に掲げる事項を目的とするものに該当するから、訂正後における請求項４〜１１に記載されている事項により特定される発明が特許出願の際独立して特許を受けることができるものであるか否かについて検討する。
　訂正事項４は、訂正前の請求項３を引用する請求項４〜１１を、訂正事項３によって訂正された訂正後の請求項３を引用する請求項４〜１１に訂正するものである。
　そして、訂正前の請求項３に記載されている事項により特定される発明は特許出願の際独立して特許を受けることができるものである。
　したがって、訂正事項４に係る訂正後の請求項４〜１１に記載されている事項により特定される発明は、特許出願の際独立して特許を受けることができるものであり、特許法第１２０条の５第９項で読み替えて準用する同法第１２６条第７項の規定に適合する。
ウ　訂正事項５について
　訂正事項５は、特許請求の範囲の記載と発明の詳細な説明の記載との整合性を図るため、願書に添付した明細書の段落【００１２】の記載を、訂正後の請求項３の記載に合わせて訂正するものであるから、特許法第１２０条の５第２項ただし書第３号に掲げる明瞭でない記載の釈明を目的とするものに該当する。
　また、訂正事項５は、願書に添付した明細書、特許請求の範囲又は図面に記載した事項の範囲内においてしたものであるから、特許法第１２０条の５第９項で準用する同法第１２６条第５項の規定に適合する。
　また、訂正事項５は、実質上特許請求の範囲を拡張し、又は変更するものではないから、特許法第１２０条の５第９項で準用する同法第１２６条第６項の規定に適合する。
エ　一群の請求項について
　訂正事項１〜５に係る訂正前の請求項１〜１１は、当該訂正事項１を含む請求項１の記載を、請求項２〜１１が夫々直接的又は間接的に引用しているものであるから、訂正前の請求項１〜１１は、特許法第１２０条の５第４項に規定する一群の請求項である。
　よって、訂正事項１〜５に係る訂正の請求は、特許法第１２０条の５第４項の規定に適合する。
　また、訂正事項５は、願書に添付した明細書を訂正するものであり、該訂正事項５に係る訂正の請求は、当該明細書の訂正に係る、訂正前の請求項１〜１１の全てについて行われたものである。
　よって、訂正事項５は、特許法第１２０条の５第９項で準用する同法第１２６条第４項の規定に適合する。
（３）むすび　
　以上のとおりであるから、本件訂正請求による訂正は、特許法第１２０条の５第２項第１号、第３号及び第４号に掲げる事項を目的とするものに該当し、かつ、同条第４項の規定、並びに、同条第９項で準用する同法第１２６条第４項から第６項までの規定、及び同法第１２０条の５第９項で読み替えて準用する同法第１２６条第７項の規定に適合するので、訂正後の請求項〔１−１１〕について訂正を認める。
３．特許異議の申立てについて
　請求項１及び２に係る特許に対して特許異議の申立てがなされているところ、請求項３ないし２２に係る特許については特許異議の申立てがされていない。
　上記２のとおり、本件訂正請求による訂正が認められ、請求項１及び２は、訂正により、削除されたため、本件特許の請求項１及び２に対して、特許異議申立人出川栄一郎がした特許異議の申立てについては、対象となる請求項が存在しないものとなった。
　したがって、本件特許異議の申立ては、特許法第１２０条の８第１項で準用する同法第１３５条の規定によって却下する。
　よって、結論のとおり決定する。
【異議決定日】
平成２８年１１月２４日（２０１６．１１．２４）
【訂正の要旨】
審決（決定）の【理由】欄参照。
（５４）【発明の名称】
光コネクタアセンブリおよびシャッタ付き光コネクタアダプタ
　【技術分野】
　【０００１】
　本発明は、一方の光コネクタプラグ（以下第一の光コネクタプラグと称す）の光ファイバと他方の光コネクタプラグ（以下第二の光コネクタプラグと称す）の光ファイバとを接続するためのシャッタ付き光コネクタアダプタ、及び光コネクタプラグとシャッタ付き光コネクタアダプタがかん合された光コネクタアセンブリに関する。
　【背景技術】
　【０００２】
　光通信に利用される光ファイバ同士の接続には、光コネクタが用いられる。光コネクタは、一方の光ファイバの先端が保持された第一の光コネクタプラグと、他方の光ファイバの先端が保持された第二の光コネクタプラグと、第一の光コネクタプラグ及び第二の光コネクタプラグが対向するように挿し入れられる筒状の光コネクタアダプタとから構成される。光コネクタアダプタに、第一の光コネクタプラグ及び第二の光コネクタプラグを対向して挿し入れることで、第一の光コネクタプラグの光ファイバと第二の光コネクタプラグの光ファイバとが光学的に接続される。
　【０００３】
　従来、シャッタ付き光コネクタアダプタとして、特許文献１の図８、図９、図１０に開示されたように、アダプタ本体に、一方から第一の光コネクタプラグが挿抜され他方から第二の光コネクタプラグが挿抜されるプラグ挿抜孔を貫通して形成すると共に、プラグ挿抜孔の内部に傾斜して延出されたシャッタ板を取り付けたものが知られている。このシャッタ付き光コネクタアダプタにおいては、プラグ挿抜孔の一方から第一の光コネクタプラグが挿し入れられたとき、第一の光コネクタプラグの光ファイバの先端から出射される光がシャッタ板によって遮られて作業者の目が防護され、プラグ挿抜孔の他方から第二の光コネクタプラグが挿し入れられたとき、第二の光コネクタプラグによってシャッタ板が押し倒されたのち、第一の光コネクタプラグの光ファイバと第二の光コネクタプラグの光ファイバとが光学的に接続される。
　【０００４】
　一方で、別の光コネクタアダプタとして、特許文献２の図２に開示されたように、筒状の外側筐体と筒状の内側筐体とを有し、外側筐体と内側筐体とが夫々長手方向中央で二分割され、内側筐体の一方の分割片が外側筐体の一方の分割片に挿入され、内側筐体の他方の分割片が外側筐体の他方の分割片に挿入された状態で、外側筐体の分割片同士が接合されたものが知られている。この光コネクタアダプタにおいては、内側筐体の一方の分割片に、幅方向に間隔を隔てて一対の、第一の光コネクタプラグの側部と係脱する第一のラッチ部が形成されており、一対の第一のラッチ部は、上壁部及び下壁部によって連結されているとともに、内側筐体の他方の分割片に、幅方向に間隔を隔てて一対の、第二の光コネクタプラグの側部と係脱する第二のラッチ部が形成されており、一対の第二のラッチ部は、上壁部及び下壁部によって連結されている。
　【０００５】
　更に別の光コネクタアダプタとして、特許文献３の図４、図５に開示されたように、筒状の外側筐体と筒状の内側筐体とを有し、内側筐体を外側筐体に一方向から挿入して固定したものが知られている。この光コネクタアダプタにおいては、内側筐体の一方の開口に、幅方向に間隔を隔てて一対の、第一の光コネクタプラグの側部と係脱する第一のラッチ部が形成され、内側筐体の他方の開口に、幅方向に間隔を隔てて一対の、第二の光コネクタプラグの側部と係脱する第二のラッチ部が形成されており、一対の第一のラッチ部及び一対の第二のラッチ部は、上壁部及び下壁部によって連結されている。また、内側筐体の中央に、外側筐体に係合して固定される固定ラッチ部が形成されている。
　【先行技術文献】
　【特許文献】
　【０００６】
　【特許文献１】特許第５１３８００５号公報
　【特許文献２】特開２０１３−２３５２２９号公報
　【特許文献３】中国特許出願公開第１０２６４５７１０号明細書（ＣＮ　１０２６４５７１０Ａ）
　【発明の概要】
　【発明が解決しようとする課題】
　【０００７】
　特許文献１に記載されたシャッタ付き光コネクタアダプタにおいては、文献１の図８〜図１０に示すように、光ファイバの先端から出射された光は、シャッタ板に当たって遮蔽されるが、シャッタ板に当たることでシャッタ板によって反射し、プラグ挿通孔の側壁を照射する。照射された光が熱に変わるため、プラグ挿通孔が形成されたアダプタ本体が加熱されてしまう。よって、使用期間が長期に亘る場合等においては、アダプタ本体の熱劣化、熱変形が生じて問題となり得る。また、発生した熱により光コネクタプラグにも熱劣化、熱変形が生じて問題となり得る可能性もある。
　【０００８】
　特に、近年、光ファイバで伝送される光のパワーが増大する傾向にあり、０．１Ｗを超える高光パワーを出射する光通信システムが導入されており、今後０．５Ｗを超える光パワーを出射する光通信システムが実用化されることも予想される。また、光ファイバを複数並設した光ファイバテープ心線（４心、８心、１２心等）を保持する光コネクタも増えている。このため、これらの光ファイバの先端から出射された光がシャッタ板によって反射し、プラグ挿通孔の側壁を照射して、アダプタ本体が加熱されると、アダプタ本体が熱変形して、第一または第二の光コネクタプラグの挿抜に支障を来す虞や、シャッタ付き光コネクタアダプタを構成している材質から光コネクタプラグを汚染する物質が揮発する虞がある。さらには、光コネクタプラグが加熱されて熱変形を起こす虞がある。
　また、アダプタ本体を金属材料から形成することによって、アダプタ本体の熱劣化や熱変形を防止したシャッタ付き光コネクタアダプタが市場に流通している。このようなシャッタ付き光コネクタアダプタでは、アダプタ本体全体の温度が上昇するため、作業者がシャッタ付き光コネクタアダプタの端面に触れることで熱的傷害を受ける虞がある。
　【０００９】
　一方で、特許文献２に記載された光コネクタアダプタにおいては、文献２の図２に示すように、幅方向に間隔が隔てられた一対の第一のラッチ部が上壁部と下壁部とによって連結されて、内側筐体の一方の分割片が筒状に成形されている。同様に、一対の第二のラッチ部が上壁部と下壁部とによって連結されて、内側筐体の他方の分割片が筒状に形成されている。このような構造の光コネクタアダプタに対して、第一の光コネクタプラグが挿抜されるプラグ挿抜孔から光コネクタアダプタの外部に貫通するような貫通部を設けようとすると、外側筺体の一方の分割片及び内側筺体の一方の分割片の双方の部品にそれぞれ貫通部を設なければならない。また、内側筐体の一方の分割片の上壁部および下壁部を残さなければならないため、設けることができる貫通部の位置や大きさに制約が生じる。
　【００１０】
　同様に、特許文献３に記載された光コネクタアダプタにおいても、文献３の図４、図５に示すように、幅方向に間隔が隔てられた一対の第一のラッチ部が上壁部と下壁部とによって連結され、一対の第二のラッチ部が上壁部と下壁部とによって連結されて、内側筐体が筒状に形成されている。このような構造の光コネクタアダプタに対して、第一の光コネクタプラグが挿抜されるプラグ挿抜孔から光コネクタアダプタの外部に貫通するような貫通部を設けようとすると、外側筺体及び内側筺体の双方の部品にそれぞれ貫通部を設なければならない。また、内側筐体の一方の分割片の上壁部および下壁部を残さなければならないため、設けることができる貫通部の大きさに制約が生じる。
　【００１１】
　そこで、光ファイバから出射された光を遮蔽でき、且つ、アダプタ本体の温度上昇を抑制するための高光パワー対策手段を施すとともに、プラグ挿抜孔からシャッタ付き光コネクタアダプタの外部に貫通する貫通部を、貫通部の位置や大きさの制約を受けずに設けることができるシャッタ付き光コネクタアダプタの開発が望まれていた。なお、以下、本特許明細書では、０．１Ｗ以上の光パワーを「高光パワー」という。（光ファイバテープ心線の場合は、個々の光ファイバから出射される光パワーの合計が０．１Ｗ以上のとき、「高光パワー」という。）
　【課題を解決するための手段】
　【００１２】
　上述した課題を解決すべく創案された本発明によれば、第一の光コネクタプラグが挿抜される第一のプラグ挿抜孔と第二の光コネクタプラグが挿抜される第二のプラグ挿抜孔とが対向して設けられた光コネクタアダプタと、光ファイバが支持され、第一のプラグ挿抜孔に挿し入れられた第一の光コネクタプラグと、を備えた光コネクタアセンブリ
に用いられる光コネクタアダプタ
当該
おり、前記光放射機能を有する高光パワー対策手段として、前記プラグ挿抜孔の側壁には、前記プラグ挿抜孔から前記アダプタ本体の外部に貫通する貫通部が設けられて
シャッタ付き
アダプタ
　【００１３】
　また、第一の光コネクタプラグが挿抜される第一のプラグ挿抜孔と第二の光コネクタプラグが挿抜される第二のプラグ挿抜孔とが対向して設けられた光コネクタアダプタと、光ファイバが支持され、第一のプラグ挿抜孔に挿し入れられた第一の光コネクタプラグと、を備えた光コネクタアセンブリであって、光コネクタアダプタは、（ａ）第一のプラグ挿抜孔および第二のプラグ挿抜孔が設けられたアダプタ本体と、（ｂ）第二のプラグ挿抜孔に配置されたシャッタ板と、（ｃ）放熱機能を有する高光パワー対策手段と、を備え、第一の光コネクタプラグに支持された光ファイバから第二のプラグ挿抜孔に向かって光が出射され、光が第二のプラグ挿抜孔に配置されたシャッタ板によって反射され、第二のプラグ挿抜孔の側壁に向かって照射され、側壁の、光が照射される範囲の全体または一部には、放熱機能を有する高光パワー対策手段として、プラグ挿抜孔からアダプタ本体の外部に貫通する貫通部が設けられており、貫通部には、放熱機能を備えた窓部材が装着されていることを特徴とする光コネクタアセンブリが提供される。
　【発明の効果】
　【００１４】
　本発明に係る光コネクタアセンブリおよびシャッタ付き光コネクタアダプタによれば、次のような効果を発揮できる。
　（１）第一の光コネクタプラグに支持された光ファイバから第二のプラグ挿抜孔に向かって光が出射され、光が前記第二のプラグ挿抜孔に配置されたシャッタ板によって反射され、第二のプラグ挿抜孔の側壁に向かって照射されたときに、側壁の、光が照射される範囲の全体または一部には、高光パワー対策手段が講じられており、光が１５分間出射された後におけるアダプタ本体の温度が、予め定められた温度を超えないように設定されているので、作業者が光コネクタアセンブリの端面に触れることで受ける熱的傷害の虞がなく、また、光コネクタプラグやシャッタ付き光コネクタアダプタが熱変形を起こす虞もない。
　（２）プラグ挿抜孔の内面に、ラッチ部材をアダプタ本体の幅方向に間隔を隔てて左右別々に配設したので、一対のラッチ部が上壁部及び下壁部で連結されて筒状となっている従来例（特許文献２、３）と比べると、上壁部及び下壁部が存在しないため、貫通部の位置及び大きさの設計自由度が高く、効果的なさまざまな高光パワー対策手段を施したシャッタ付き光コネクタアダプタを得ることができる。
　（３）ラッチ部材が左右独立しているので、左右のラッチ部が上壁及び下壁で連結されて筒状となっている従来例と比べると形状が簡素化され、ラッチ部材の成形（射出成形等）が容易となる。
　【図面の簡単な説明】
　【００１５】
　【図１】本発明の実施形態に係るシャッタ付き光コネクタアダプタと、このシャッタ付き光コネクタアダプタに挿抜される第一の光コネクタプラグ及び第二の光コネクタプラグとを示す斜視図である。
　【図２】図１に示すシャッタ付き光コネクタアダプタの分解斜視図である。
　【図３】図２に示すラッチ部材の説明図であり、（ａ）は側面図、（ｂ）は平面図、（ｃ）は底面図、（ｄ）は正面図、（ｅ）は背面図、（ｆ）は（ｄ）のｆ−ｆ線断面図である。
　【図４】図２に示すアダプタ本体の説明図であり、（ａ）は側面図、（ｂ）は平面図、（ｃ）は底面図、（ｄ）は正面図、（ｅ）は背面図である。
　【図５】図４に示すアダプタ本体の断面図であり、（ａ）は図４（ｄ）のａａ線断面図、（ｂ）は図４（ｄ）のｂ−ｂ線断面図、（ｃ）は図４（ｄ）のｃｃ線断面図である。
　【図６】図２に示すアダプタ本体にラッチ部材、窓部材、シャッタ板等を組み込んだ組立品（シャッタ付き光コネクタアダプタ）の説明図であり、（ａ）は側面図、（ｂ）は平面図、（ｃ）は底面図、（ｄ）は正面図、（ｅ）は背面図である。
　【図７】図６に示すシャッタ付き光コネクタアダプタの断面図であり、（ａ）は図６（ｄ）のＡ−Ａ線断面図、（ｂ）は図６（ｄ）のＢ−Ｂ線断面図、（ｃ）は図６（ｄ）のＣ−Ｃ線断面図である。
　【図８】図１に示すシャッタ付き光コネクタアダプタに第一の光コネクタプラグを挿し入れた状態を示す斜視図である。
　【図９】図８のシャッタ付き光コネクタアダプタ及び第一の光コネクタプラグの断面図であり、（ａ）は平断面図、（ｂ）は側断面図である。
　【図１０】図８のシャッタ付き光コネクタアダプタ及び第一の光コネクタプラグの正面図である。
　【図１１】図１に示すシャッタ付き光コネクタアダプタに第一の光コネクタプラグ及び第二の光コネクタプラグを挿し入れた状態を示す斜視図である。
　【図１２】図１１のシャッタ付き光コネクタアダプタ、第一の光コネクタプラグ及び第二の光コネクタプラグの断面図であり、（ａ）は平断面図、（ｂ）は側断面図である。
　【発明を実施するための形態】
　【００１６】
　以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
　【００１７】
（本発明の実施形態に係るシャッタ付き光コネクタアダプタ１の概要）
　図１〜図１２を用いて、本発明の一実施形態に係るシャッタ付き光コネクタアダプタ１を説明する。図１、図１１に示すように、本発明の一実施形態に係るシャッタ付き光コネクタアダプタ１は、第一の光コネクタプラグ２に支持された光ファイバ３と第二の光コネクタプラグ４に支持された光ファイバ５とを光学的に接続するものであり、ＪＩＳ　Ｃ　５９６４−７（ＩＥＣ　６１７５４−７）『光ファイバコネクタかん合標準−第７部：ＭＰＯコネクタ類（Ｆ１３）』に準拠した光コネクタプラグが挿抜可能なシャッタ付き光コネクタアダプタである。本実施形態においては、第一の光コネクタプラグ２がオス型（Ｍ型）プラグ、第二の光コネクタプラグ４がメス型（Ｆ型）プラグとなっているが、逆でもよい。
　【００１８】
　図１、図１２に示すように、第一の光コネクタプラグ２は、幅方向に間隔を隔てて一対のガイドピン６を備えており、第二の光コネクタプラグ４は、ガイドピン６が挿抜される一対のガイドピン孔７を備えている。第一の光コネクタプラグ２には、複数の光ファイバ３が並設された多心テープ心線（例えば、４心テープ心線、８心テープ心線、１２心テープ心線、）が支持されており、多心テープ心線の各光ファイバ３の先端は、ガイドピン６同士の間に配置されている。同様に、第二の光コネクタプラグ４にも、複数の光ファイバ５が並設された多心テープ心線が支持されており、多心テープ心線の各光ファイバ５の先端は、ガイドピン孔７同士の間に配置されている。なお、第一の光コネクタプラグ２、第二の光コネクタプラグ４は、共に、多心テープ心線ではなく、１本の光ファイバが内蔵された単心光ファイバ心線が支持されたものであってもよい。
　【００１９】
　図１１に示すように、シャッタ付き光コネクタアダプタ１に、第一の光コネクタプラグ２と第二の光コネクタプラグ４とを対向するように挿し入れると、図１２に示すように、第一の光コネクタプラグ２のガイドピン６が第二の光コネクタプラグ４のガイドピン孔７に挿入され、第一の光コネクタプラグ２の多心テープ心線の各光ファイバ３の先端と第二の光コネクタプラグ４の多心テープ心線の各光ファイバ５の先端とが対向して当接する。この結果、第一の光コネクタプラグ２の光ファイバ３と第二の光コネクタプラグ４の光ファイバ５とが光学的に接続される。
　【００２０】
　図１、図２に示すように、本実施形態に係るシャッタ付き光コネクタアダプタ１は、略直方体形状に形成されたアダプタ本体８と、アダプタ本体８に貫通形成されたプラグ挿抜孔９と、プラグ挿抜孔９の内面にアダプタ本体８の幅方向に間隔を隔てて一対取り付けられたラッチ部材１０と、プラグ挿抜孔９の内面にアダプタ本体８の幅方向に間隔を隔てて一対形成されたラッチ部材取付溝１１と、アダプタ本体８の厚さ方向の下面にプラグ挿抜孔９と連通して形成された貫通部５０と、貫通部５０に取り付けられた窓部材５２と、プラグ挿抜孔９に配設されたシャッタ板５３と、アダプタ本体８の外面に装着されたストッパ金具１２と、を備えている。
　【００２１】
　プラグ挿抜孔９には、図１に示すように、一方から第一の光コネクタプラグ２が挿抜され、他方から第二の光コネクタプラグ４が挿抜される。図２に示すように、ラッチ部材１０には、第一の光コネクタプラグ２の側部と係脱する第一の突起部１３と、第二の光コネクタプラグ４の側部と係脱する第二の突起部１４とが形成されている。ラッチ部材取付溝１１には、ラッチ部材１０が装着される。また、シャッタ板５３は、アダプタ本体８と窓部材５２とのあいだに挟まれて支持され、プラグ挿抜孔９の内部に傾斜して延出されている。
　【００２２】
　シャッタ板５３は、図８に示すように、プラグ挿抜孔９の一方から第一の光コネクタプラグ２が挿し入れられたとき、図９、図１０に示すように、第一の光コネクタプラグ２と接触しない位置に配設されており、第一の光コネクタプラグ２の光ファイバ３から出射される光を窓部材５２の方向に反射するような傾斜角度に設定されている。また、シャッタ板５３は、図１１に示すように、プラグ挿抜孔９の他方から第二の光コネクタプラグ４が挿し入れられたとき、図１２に示すように、第二の光コネクタプラグ４によって窓部材５２に沿うように押し倒されるようになっている。
　【００２３】
　図２、図６に示すように、ストッパ金具１２は、アダプタ本体８の底面と接する底板部１５と、アダプタ本体８の両方の側面に夫々接する側板部１６と、側板部１６に切り起こしして形成されたストッパ板１７とを有し、ばね弾性をもつ材質からなる板（例えば、ステンレス鋼または銅合金の板）を打ち抜いてコ字状に屈曲して成形される。本実施形態では、ストッパ金具１２は、ステンレス鋼の板から形成している。ストッパ板１７の先端は、アダプタ本体８の側面に突出して成形されたフランジ１８に対向されている。図６（ｂ）に示すシャッタ付き光コネクタアダプタ１は、右方に配置された図示しないパネルに形成された矩形の取付孔に押し込まれると、左右のストッパ板１７が倒れることで取付孔に挿し入れられる。その後、左右のストッパ板１７がばね弾性によって復元していくことで、ストッパ板１７の先端とフランジ１８との間にパネルが支持される。
　【００２４】
（ラッチ部材１０）
　図３に示すように、ラッチ部材１０は、第一の光コネクタプラグ２の側部と係脱する第１突起部１３と、第二の光コネクタプラグ４の側部と係脱する第二の突起部１４とを有する。図１に示す第一の光コネクタプラグ２及び第二の光コネクタプラグ４が、シャッタ付き光コネクタアダプタ１に図１１に示すように挿し入れられると、図１２（ａ）に示すように、第一の突起部１３が第一の光コネクタプラグ２の側部に形成された凹部１９と係合し、第二の突起部１４が第二の光コネクタプラグ４の側部に形成された凹部２０と係合する。ラッチ部材１０は、図２に示すように、ラッチ部材取付溝１１に一方向（図１１の右方）から挿し入れられるものであり、図３に示すように、挿し入れ深さを定めるストッパ２１、挿し入れ位置を保持する係合部２２を有する。一方、ラッチ部材取付溝１１は、図５（ｃ）に示すように、ラッチ部材１０のストッパ２１が当接する段差部２３、ラッチ部材１０の係合部２２が係合する被係合部２４を有する。
　【００２５】
　図３に示すように、ラッチ部材１０は、センタ部２５と、センタ部２５からラッチ部材係合溝１１の軸方向の一方に延出され先端に第一の突起部１３が形成された第一の突起部用片持梁２６と、センタ部２５から第一の突起部用片持梁２６をアダプタ本体厚さ方向に挟むようにして軸方向の一方に延出されたガイド用片持梁２７と、ガイド用片持梁２７と第一の突起部用片持梁２６との間に形成された第一のスリット部２８とを有する。また、ラッチ部材１０は、センタ部２５から軸方向の他方に延出され先端に第二の突起部１４が形成された第二の突起部用片持梁２９と、センタ部２５から第二の突起部用片持梁２９をアダプタ本体厚さ方向に挟むようにして軸方向の他方に延出され先端に係合部２２が形成された係合部用片持梁３０と、係合部用片持梁３０と第二の突起部用片持梁２９との間に形成された第二のスリット部（スリット部）３１とを有する。
　【００２６】
　この構成によれば、第一のスリット部２８によって、図４（ｅ）に示すプラグ挿抜孔９に図１に示す第一の光コネクタプラグ２を挿し入れる際に、図３（ａ）に示す第一の突起部用片持梁２６がアダプタ本体幅方向に撓むことが許容される。また、第二のスリット部３１によって、図４（ｄ）に示すプラグ挿抜孔９に図１に示す第二の光コネクタプラグ４を挿し入れる際に、図３（ａ）に示す第二の突起部用片持梁２９がアダプタ本体幅方向に撓むことが許容される。また、この第二のスリット部３１によって、図３（ａ）に示すラッチ部材１０を図５（ｃ）に示すラッチ部材取付溝１１に右方から挿し入れる際に、係合部用片持梁３０がアダプタ本体厚さ方向に撓むことが許容される。すなわち、第二のスリット部３１は、係合部用片持梁３０がアダプタ本体厚さ方向に撓むためのスリット機能と、第二の突起部用片持梁２９がアダプタ本体幅方向に撓むためのスリット機能とを兼用している。
　【００２７】
　図３（ａ）に示すように、ラッチ部材１０の係合部用片持梁３０には、水平部３２と傾斜部３３とが形成されており、傾斜部３３の先端に、係合部２２が突設されている。係合部２２の頂部は水平部３２よりも低く設定されている。これにより、ラッチ部材１０をラッチ部材取付溝１１に挿し入れた際、後述するように、係合部２２の頂部がラッチ部材取付溝１１の内面に引っ掛かることを防止できる。また、ラッチ部材１０のセンタ部２５には、ラッチ部材１０の挿し入れ深さを定めるストッパ２１が段差状に形成されている。
　【００２８】
　図３に示すように、ラッチ部材１０は、ラッチ部材係合溝１１の軸方向と平行な中心軸に対して、アダプタ本体厚さ方向に上下対称に成形されている。この結果、プラグ挿抜孔９の内面にアダプタ本体８の幅方向に間隔を隔てて一対取り付けられるラッチ部材１０は、左右同一の形状となり、一つの品番で左右共用できる。
　【００２９】
　ラッチ部材１０は、プラスチック射出成形によって形成される。ラッチ部材１０の材質は、機械的特性や繰返し撓み特性、射出成形性を考慮して選定され、ポリブチレンテレフタレート、ポリアミド系樹脂、ポリエーテルサルフォン、ポリエーテルイミドまたはポリフェニルサルフォンのいずれかをガラス繊維強化した樹脂が適している。本実施形態では、ラッチ部材１０の材質は、ポリアミド系樹脂をガラス繊維強化した樹脂から形成している。
　【００３０】
（ラッチ部材取付溝１１）
　図４（ｄ）、図４（ｅ）に示すように、アダプタ本体８に貫通形成されたプラグ挿抜孔９の内面には、ラッチ部材１０が挿し入れられるラッチ部材取付溝１１が、アダプタ本体の幅方向に間隔を隔てて一対形成されている。ラッチ部材取付溝１１は、図５（ｃ）に示すように、入口（右方）から奧（左方）に向かって、第一の水平部３４、段差部２３、第二の水平部３５、傾斜部３６、被係合部２４が配設されている。ラッチ部材取付溝１１は、第一の水平部３４、段差部２３、第二の水平部３５、傾斜部３６までは、入口から奧に向かって先窄まりに形成されており、被係合部２４で広がるように形成されている。
　【００３１】
　図５（ｃ）に示す第二の水平部３５における溝の上下方向（アダプタ本体８の厚さ方向）の寸法は、図３（ａ）に示すラッチ部材１０の水平部３２の上下方向の寸法に合わせて設定されている。よって、ラッチ部材１０の係合部２２を水平部３２よりも低く設定しておくことで、ラッチ部材１０をラッチ部材取付溝１１に挿し入れた際、ラッチ部材１０の係合部２２がラッチ部材取付溝１１の第二の水平部３５に引っ掛かる事態を回避できる。
　【００３２】
　図３（ａ）に示すラッチ部材１０が図５（ｃ）に示すラッチ部材取付溝１１に押し込まれると、ラッチ部材１０の係合部２２がラッチ部材取付溝１１の傾斜部３６に当接し、押し込みに伴ってラッチ部材１０の係合部用片持梁３０が上下方向（アダプタ本体８の厚さ方向）に撓み、ラッチ部材１０の係合部２２が傾斜部３６を乗り越えると、係合部用片持梁の撓みが復元していき、係合部２２はラッチ部材取付溝１１の被係合部２４に係合する。一方で、ラッチ部材１０のストッパ２１がラッチ部材取付溝１１の段差部２３に当接し、ラッチ部材１０がラッチ部材取付溝１１に所定の位置で固定される（図７（Ｃ）参照）。
　【００３３】
　なお、図４（ｄ）、図５（ｂ）に示すように、プラグ挿抜孔９の内面の幅方向の中央にはガイドキー溝３７が形成されており、このガイドキー溝３７には、図１、図１２（ｂ）に示すように、第二の光コネクタプラグ４に形成されたガイドキー凸部３８が係合される。同様に、図４（ｅ）、図５（ｂ）に示すように、プラグ挿抜孔９の内面の幅方向の中央にはガイドキー溝３９が形成されており、このガイドキー溝３９には、図１、図１２（ｂ）に示すように、第一の光コネクタプラグ２に形成されたガイドキー凸部４０が係合される。
　【００３４】
（アダプタ本体８）
　図６はアダプタ本体８にラッチ部材１０等を組み付けた組立品（シャッタ付き光コネクタアダプタ１）の説明図であり、図７は図６に示すシャッタ付き光コネクタアダプタ１の断面図である。図７（Ａ）に示すように、ラッチ部材１０の第一の突起部用片持梁２６とラッチ部材取付溝１１との間には、アダプタ本体幅方向に空隙部４１が形成され、ラッチ部材１０の第二の突起部用片持梁２９とラッチ部材取付溝１１との間には、アダプタ本体幅方向に空隙部４２が形成されている。
　【００３５】
　前者の空隙部４１によって、プラグ挿抜孔９に第一の光コネクタプラグ２を挿し入れたとき、第一の光コネクタプラグ２の側部が第一の突起部用片持梁２６の第一の突起部１３に当接することで、第一の突起部用片持梁２６がセンタ部２５を起点としてアダプタ本体幅方向外方に撓んで、第一の光コネクタプラグ２の進入が許容される。同様に、後者の空隙部４２によって、プラグ挿抜孔９に第二の光コネクタプラグ４を挿し入れたとき、第二の光コネクタプラグ４の側部が第二の突起部用片持梁２９の第二の突起部１４に当接することで、第二の突起部用片持梁２９がセンタ部２５を起点としてアダプタ本体幅方向外方に撓んで、第二の光コネクタプラグ４の進入が許容される。
　【００３６】
　アダプタ本体８は、プラスチック射出成形によって形成される。アダプタ本体８の材質は、機械的特性や成形性を考慮して選定され、ポリブチレンテレフタレート、ポリアミド系樹脂、ポリフェニレンサルファイド、ポリエーテルサルフォン、ポリエーテルイミドまたはポリフェニルサルフォンのいずれかをガラス繊維強化した樹脂が適している。本実施形態では、アダプタ本体８の材質は、ポリブチレンテレフタレートをガラス繊維強化した樹脂から一体形成している。
　【００３７】
（貫通部５０、窓部材５２、シャッタ板５３）
　図４、図５に示すように、アダプタ本体８の厚さ方向の下面の中央付近には、プラグ挿通孔９と連通するようにして、貫通部５０が矩形に形成されている。貫通部５０は、図２に示すように、ラッチ部材１０がアダプタ本体の幅方向に間隔を隔てて左右に配設されているため、ラッチ部材１０と干渉することはなく、アダプタ本体８の厚さ方向の下面の中央に容易に開口形成できる。貫通部５０には、窓部材５２が、図６、図７に示すように取り付けられる。なお、変形例として、貫通部５０を、アダプタ本体８の厚さ方向の上面に形成してもよく、上面及び下面の双方に形成してもよい。これらの貫通部５０には、窓部材５２が同様に取り付けられる。
　【００３８】
　図２に示すように、窓部材５２は貫通部５０に装着され、シャッタ板５３はプラグ挿抜孔９の内部に傾斜して延出され配設される。窓部材５２は、貫通部５０に係合する形状の窓部装着部５４と、窓部装着部５４に突出して形成されたシャッタ板支持部５５とを有する。シャッタ板支持部５５には、シャッタ板５３の端部に断面Ｕ字状に形成されたシャッタ板被支持部５６と組み合わされる。シャッタ板５３は、ばね弾性をもつ材質の板（例えば、ステンレス鋼の板または銅合金の板）を打ち抜き、曲げ成形することで製造される。本実施形態では、シャッタ板５３は、ステンレス鋼の板から形成している。
　【００３９】
　シャッタ板５３は、図８に示すように、プラグ挿抜孔９の一方から第一の光コネクタプラグ２が挿し入れられたとき、図９、図１０に示すように、第一の光コネクタプラグ２と接触しない位置に配設されており、第一の光コネクタプラグ２の光ファイバ３から出射された光を窓部材５２の方向に反射するような傾斜角度に設定されている。シャッタ板５３の先端側の、光ファイバ３から出射された光があたる部分の傾斜角度は、３０度から６０度の傾斜角度とすることによって、光ファイバ３から出射された光を的確に窓部材５２の方向に反射する。本実施形態では、傾斜角度は４０度から５０度の範囲内となるようにしている。また、シャッタ板５３は、先端側からシャッタ板被支持部５６に向かうにつれて、下方が凸となるように湾曲されており、反射した光が集光しないようにしている。
　【００４０】
　また、シャッタ板５３は、図１１に示すように、プラグ挿抜孔９の他方から第二の光コネクタプラグ４が挿し入れられたとき、図１２に示すように、第二の光コネクタプラグ４によって窓部材５２に沿うように押し倒されるようになっている。窓部材５２には、図２に示すように、押し倒されたシャッタ板５３を収容する凹部５７が形成されている（図１２（ｂ）参照）。その後、第二の光コネクタプラグ４がプラグ挿抜孔９から引き抜かれると、シャッタ板５３は、そのばね弾性により、図９（ｂ）に示すように、元の位置に向かって回復していく。よって、このシャッタ板５３により、光ファイバ３から出射された光を遮蔽できる。なお、窓部材５２に形成された凹部５７には、シャッタ板５３で反射した光が、第一の光コネクタプラグ２の方向に反射していくことを抑える形状を施してもよい。例えば、凹部５７にのこぎり状の形状を施すことによって、凹部５７による反射光をシャッタ板被支持部５６の方向に向かうように工夫してもよい。
　【００４１】
　このように、シャッタ板５３の表面は、光ファイバ３から出射された光を反射させるため、銀色や金色など金属光沢を有する材質で、且つ、プラグ挿抜孔９に第二の光コネクタプラグ４を挿し入れたときに押し倒され、プラグ挿抜孔９から第二の光コネクタプラグ４を引き抜いたときに元の姿勢に回復していくようなばね弾性をもつ材質が用いられる。そのような材質として、例えば、ステンレス鋼の板または銅合金の板がある。本実施形態では、先述のように、シャッタ板５３はステンレス鋼の板から形成し、ステンレス鋼のもつ光沢をそのまま残している。
　【００４２】
　図７（Ｂ）に示すように、窓部材５２の、シャッタ付き光コネクタアダプタ１の外側に露出した部分には、凹凸状の放熱部５８が設けられている。放熱部５８は、本実施形態においては、複数の平行な山谷部から形成されているが、この形状に限られるものではなく、平行の向きが９０度異なっていてもよい。また、放熱部５８には、複数の針状の突起または複数の薄板状のひれ（フィン）を設けてもよく、それらはアダプタ本体８から厚さ方向に突出していてもよい。
　【００４３】
　窓部材５２の材質は、アダプタ本体８の材質よりも熱伝導率の高い材質からなっている。アダプタ本体８の材質は、先述のように、ポリブチレンテレフタレート、ポリアミド系樹脂、ポリフェニレンサルファイド、ポリエーテルサルフォン、ポリエーテルイミドまたはポリフェニルサルフォンのいずれかをガラス繊維強化した樹脂が適しており、これらの樹脂の熱伝導率は、いずれも０．５Ｗ／ｍ・Ｋ以下である。窓部材５２の材質は、これらの樹脂よりも熱伝導率が高い材質である金属（例えばステンレス鋼、アルミニウム合金、亜鉛合金または銅合金など）または高熱伝導樹脂（例えばナイロン樹脂に熱伝導性フィラーを配合した樹脂）が用いられる。本実施形態では、窓部材５２の材質は、ステンレス鋼から形成しており、ステンレス鋼の熱伝導率は、およそ１５Ｗ／ｍ・Ｋである。
　【００４４】
　アダプタ本体８の材質を、熱伝導率が０．５Ｗ／ｍ・Ｋ以下の樹脂から形成することによって、シャッタ板５３からの反射光によって照射されて加熱された窓部材５２の熱が、アダプタ本体８のプラグ挿抜孔９の開口している端面に向かって伝わってくのを抑制することができる。これによって、アダプタ本体８のプラグ挿抜孔９の開口している端面での温度が上昇しにくくなる。ＪＩＳ　Ｃ　６９５０−１（ＩＥＣ　６０９５０−１）『情報技術機器−安全性−第１部：一般要求事項』では、機器のアクセス可能な部分の接触温度限度を規定していて、９５℃または１００℃までの温度を許容している。本実施形態では、先述のように、アダプタ本体８の材質は、ポリブチレンテレフタレートをガラス繊維強化した樹脂から形成している。第一の光コネクタプラグ２から、光パワーの総量が０．５Ｗ〜１Ｗの光が１５分間出射された後の、アダプタ本体８のプラグ挿抜孔９の開口している端面での温度を測定したところ、１００℃を超えないことを確認している。
　【００４５】
　窓部材５２の表面は、アダプタ本体８の表面よりも光の反射率が低い表面としている。おもにシングルモード光ファイバを用いた光通信で使用する光の波長は１．３１μｍ付近であり、波長１．３１μｍにおける光の反射率が低くなるように表面を処理している。例えば、窓部材５２の表面には、黒色処理が用いる。一般に、黒色という表現は、可視光（波長およそ０．３８μｍ〜０．７８μｍ）に関しての特性を表すが、波長１．３１μｍのような近赤外線に関しても低い反射率を得ることができる。本実施形態では、窓部材５２の表面には、黒色無光沢処理を施している。また、窓部材５２の表面を黒色とすることによって、窓部材５２からシャッタ付き光コネクタアダプタ１の外部へ向けての熱放射率（赤外線放射率）を高くする効果も期待できる。
　【００４６】
（作用・効果）
　本発明の実施形態に係るシャッタ付き光コネクタアダプタ１によれば、図６、図７に示すように、アダプタ本体８にプラグ挿抜孔９と連通する貫通部５０が形成され、貫通部５０に窓部材５２が取り付けられ、アダプタ本体８と窓部材５２とにシャッタ板５３が支持され、シャッタ板５３の先端側の傾斜角度が光ファイバ３から出射された光が窓部材５２に向かって照射される角度に設定されている（図９（ｂ）参照）。
　【００４７】
　よって、図８に示すように、プラグ挿抜孔９に第一の光コネクタプラグ２を挿し入れたとき、図９（ｂ）、図１０に示すように、第一の光コネクタプラグ２の光ファイバ３から出射された光がシャッタ板５３で反射されて窓部材５２に向かって照射される。この結果、光ファイバ３から出射された光を遮蔽でき、作業者の目が光ファイバ３から出射された光に晒される事態を回避でき、加えて、光の照射によって加熱された窓部材５２の熱を貫通部５０からアダプタ本体８の外部に向けて放熱できる。よって、アダプタ本体８に熱が籠もることを抑制できる。
　【００４８】
　図７（Ｂ）に示すように、窓部材５２の、シャッタ付き光コネクタアダプタ１の外側に面した部分には、凹凸状の放熱部５８が設けられている。このため、図９（ｂ）に示すように、プラグ挿抜孔９に第一の光コネクタプラグ２を挿し入れ、第一の光コネクタプラグ２の光ファイバ３から出射された光がシャッタ板５３で反射されて窓部材５２に向かって照射され、窓部材５２が加熱されたとき、窓部材５２の熱が凹凸状の放熱部５８からアダプタ本体８の外部に向かって的確に放熱される。よって、アダプタ本体８に熱が籠もることを、長期間に亘って継続的に抑制できる。
　【００４９】
　窓部材５２の材質は、アダプタ本体８の材質よりも熱伝導率の高い材質からなっている。この結果、光ファイバ３から出射された光がシャッタ板５３で反射して窓部材５２の内面（凹部５７の表面）に向かって照射され、窓部材５２の内面（凹部５７の表面）が加熱された際、窓部材５２の内面（凹部５７の表面）の熱が速やかに外面の放熱部５８に伝わり、放熱性が向上する。すなわち、窓部材５２の熱伝導率がアダプタ本体８の熱伝導率と同等の場合と比べると、放熱性が向上する。よって、アダプタ本体８に熱が籠もる事態を的確に回避できる。
　【００５０】
　アダプタ本体８の材質を、熱伝導率は０．５Ｗ／ｍ・Ｋ以下の樹脂から形成していることによって、加熱された窓部材５２の熱がアダプタ本体８のプラグ挿抜孔９の開口している端面に向かって伝わっていくのを抑制する。これにより、アダプタ本体８のプラグ挿抜孔９の開口している端面での温度が上昇しにくくなるため、作業者がシャッタ付き光コネクタアダプタ１の端面に触れても、熱的傷害を受けることを防止することができる。
　【００５１】
　窓部材５２の表面は、アダプタ本体８の表面よりも光の反射率の低い表面としている。この結果、光ファイバ３から出射されシャッタ板５３で反射した光の熱を、窓部材５２に的確に吸収（吸熱）でき、貫通部５０を通して的確にシャッタ付き光コネクタアダプタ１の外部へ向けて放熱できる。すなわち、窓部材５２の光の反射率がアダプタ本体８の光の反射率と同等の場合と比べると、窓部材５２の吸熱が向上する一方、アダプタ本体８は吸熱しにくくなるため、光ファイバ３から出射された光の熱を的確に窓部材５２で吸熱して貫通部５０を通してシャッタ付き光コネクタアダプタ１の外部に向けて放熱できる。よって、アダプタ本体８に熱が籠もる事態を的確に回避できる。
　【００５２】
　なお、窓部材５２の受光部分（光ファイバ３から出射された光がシャッタ板５３によって反射して窓部材５２に照射される部分）を透明または半透明の材料から成形し、波長１．３１μｍでの全光線透過率が５０％以上である透光部とすることによって、シャッタ板５３で反射した光が透光部を通してアダプタ本体８の外部に向けて放出するように構成することも考えられる。この構成では、照射された光を窓部材５２の表面で熱に変換して吸熱するのではなく、光の状態のままシャッタ付き光コネクタアダプタ１の外部に向けて光のパワーを放出する。光ファイバ３から出射された光のパワー（エネルギー）をシャッタ付き光コネクタアダプタ１の外部に向けて放出する機能は、先述の実施形態と同等であり、アダプタ本体８に熱が籠もる事態を回避できる。また、透光部から外部に向けて導かれた光は、プラグ挿抜孔９と直交する方向（貫通部５０の方向）なので、作業者がプラグ挿抜孔９を誤って覗いた場合であっても作業者の目に照射されることはなく、作業の妨げとはならない。このような透明部は、ポリカーボネート、ＣＯＣ、ＣＯＰ、ポリアリレート、ポリエーテルイミド、ポリサルフォン、ポリエーテルサルフォン、ポリフェニルサルフォン、アクリル樹脂、シリコン樹脂またはエポキシ樹脂のいずれかから形成することができる。
　【００５３】
　上述した窓部材５２に設けられる透光部の外面（凹部５７とは反対側の面）を、すりガラス状または梨地や霞の型板ガラス状のような凹凸部を有する光拡散面としてもよい。この構成によれば、透光部を通してアダプタ本体８の外部に導かれる光を、光拡散面で様々な方向に拡散・分散できるので、作業者が仮に透光部の光拡散面（貫通部５０）を見たとしても、目が受ける光のパワーを小さくできる。なお、透光部の内面を光拡散構造としてもよい。
　【００５４】
　一方で、プラグ挿抜孔９の内面に、ラッチ部材１０をアダプタ本体８の幅方向に間隔を隔てて左右別々に配設したので、プラグ挿抜孔９からシャッタ付き光コネクタアダプタ１の外部へ連通する貫通部５０は、アダプタ本体８のみに設ければよい。また、貫通部５０はラッチ部材１０と干渉することがないため、貫通部５０の位置及び大きさの設計自由度が高く、効果的なさまざまな高光パワー対策手段を施したシャッタ付き光コネクタアダプタ１を得ることができる。
　【００５５】
　また、ラッチ部材１０が左右独立しているので、左右のラッチ部が上壁部及び下壁部で連結されて筒状となっている従来例と比べると、図３に示すようにラッチ部材１０の形状が簡素化され、ラッチ部材１０の成形（射出成形等）が容易となる。すなわち、図３（ａ）に示すラッチ部材１０の図面裏側の形状が転写されたキャビティを有する金型と、図３（ａ）に示すラッチ部材１０の図面表側の形状が転写されたキャビティを有する金型とを突き合わせて、その内部のキャビティに溶融樹脂を射出した後、金型を開くことで、成形品をキャビティに引っ掛かることなく取り出すことができ、成形品すなわちラッチ部材１０を容易に射出成形できる。
　【００５６】
　図３（ａ）に示すラッチ部材１０には、係合部用片持梁３０と第二の突起部用片持梁２９との間に、第二のスリット部３１が形成されている。この第二のスリット部３１によって、図３（ａ）に示すラッチ部材１０を図５（ｃ）に示すラッチ部材取付溝１１に右方から挿し入れる際に、係合部用片持梁３０のアダプタ本体厚さ方向の撓みが許容されると共に、図４（ｄ）に示すプラグ挿抜孔９に図１に示す第二の光コネクタプラグ４を差し入れる際に、第二の突起部用片持梁２９のアダプタ本体幅方向の撓みが許容される。
　【００５７】
　このように、第二のスリット部３１が、係合部用片持梁３０がアダプタ本体厚さ方向に撓むためのスリットと、第二の突起部用片持梁２９がアダプタ本体幅方向に撓むためのスリットとを兼用するので、これらスリットを各々形成した場合と比べると、スリットの数を減らすことができる。よって、ラッチ部材１０がコンパクトとなると共に、スリットを形成することに伴うラッチ部材１０の剛性低下を抑制できる。
　【００５８】
　図７（Ａ）に示すように、ラッチ部材１０の第一の突起部用片持梁２６とラッチ部材取付溝１１との間には、アダプタ本体幅方向に空隙部４１が形成され、ラッチ部材１０の第二の突起部用片持梁２９とラッチ部材取付溝１１との間には、アダプタ本体幅方向に空隙部４２が形成されている。前者の空隙部４１によって、第一の突起部用片持梁２６がアダプタ本体幅方向外方に撓んで第一の光コネクタプラグ２の進入が許容され、後者の空隙部４２によって、第二の突起部用片持梁２９がアダプタ本体幅方向外方に撓んで第二の光コネクタプラグ４の進入が許容される。よって、プラグ挿抜孔９に第一の光コネクタプラグ２及び第二の光コネクタプラグ４を、適切に挿抜できる。
　【００５９】
　図３に示すように、ラッチ部材１０は、ラッチ部材係合溝１１の軸方向と平行な中心軸に対して、アダプタ本体厚さ方向に上下対称に成形されている。この結果、プラグ挿抜孔９の内面にアダプタ本体８の幅方向に間隔を隔てて一対取り付けられるラッチ部材１０は、左右同一の形状となり、一つの品番で左右共用でき、低コスト化を推進できる。
　【００６０】
　以上、添付図面を参照しつつ本発明の好適な実施形態について説明したが、本発明は上述した実施形態に限定されないことは勿論であり、特許請求の範囲に記載された範疇における各種の変更例又は修正例についても、本発明の技術的範囲に属することは言うまでもない。
　【産業上の利用可能性】
　【００６１】
　本発明は、第一の光コネクタプラグの光ファイバと第二の光コネクタプラグの光ファイバ　とを接続するシャッタ付き光コネクタアダプタに利用できる。
　【符号の説明】
　【００６２】
１シャッタ付き光コネクタアダプタ
２第一の光コネクタプラグ
３光ファイバ
４第二の光コネクタプラグ
５光ファイバ
８アダプタ本体
９プラグ挿抜孔
１０ラッチ部材
１１ラッチ部材取付溝
１２ストッパ金具
１３第一の突起部
１４第二の突起部
２１ストッパ
２２係合部
２３段差部
２４被係合部
５０貫通部
５２窓部材
５３シャッタ板
（５７）【特許請求の範囲】
　【請求項１】　
　（削除）　
　【請求項２】　
　（削除）　
　【請求項３】
第一の光コネクタプラグが挿抜される第一のプラグ挿抜孔と第二の光コネクタプラグが挿抜される第二のプラグ挿抜孔とが対向して設けられた光コネクタアダプタと、光ファイバが支持され、前記第一のプラグ挿抜孔に挿し入れられた第一の光コネクタプラグと、を備えた
当該光コネクタアダプタは、
　
（ａ）前記第一のプラグ挿抜孔および前記第二のプラグ挿抜孔が設けられたアダプタ本体と、
　
（ｂ）前記第二のプラグ挿抜孔に配置されたシャッタ板と、
　
（ｃ）光放射機能を有する高光パワー対策手段と、を備え、
前記第一の光コネクタプラグに支持された光ファイバから前記第二のプラグ挿抜孔に向かって光が出射され、前記光が前記第二のプラグ挿抜孔に配置された前記シャッタ板によって反射され、前記第二のプラグ挿抜孔の側壁に向かって照射され、前記側壁の、前記光が照射される範囲の全体または一部には、前記光放射機能を有する高光パワー対策手段が講じられており、
前記光放射機能を有する高光パワー対策手段として、前記プラグ挿抜孔の側壁には、前記プラグ挿抜孔から前記アダプタ本体の外部に貫通する貫通部が設けられていることを特徴とするシャッタ付き光コネクタアダプタ。
　【請求項４】
請求項３記載のシャッタ付き光コネクタアダプタにおいて、前記貫通部には、光放射機能を備えた窓部材が装着されていることを特徴とするシャッタ付き光コネクタアダプタ。
　【請求項５】
請求項４記載のシャッタ付き光コネクタアダプタにおいて、前記光放射機能を備えた窓部材の材質は、樹脂またはガラスの少なくとも一方からなることを特徴とするシャッタ付き光コネクタアダプタ。
　【請求項６】
請求項５記載のシャッタ付き光コネクタアダプタにおいて、前記光放射機能を備えた窓部材は、波長１．３１μｍにおける全光線透過率が５０％以上であることを特徴とするシャッタ付き光コネクタアダプタ。
　【請求項７】
請求項５または請求項６のいずれか一項に記載のシャッタ付き光コネクタアダプタにおいて、前記光放射機能を備えた窓部材の材質は、ポリカーボネート、ＣＯＣ、ＣＯＰ、ポリアリレート、ポリエーテルイミド、ポリサルフォン、ポリエーテルサルフォン、ポリフェニルサルフォン、アクリル樹脂、シリコン樹脂またはエポキシ樹脂のいずれかからなることを特徴とするシャッタ付き光コネクタアダプタ。
　【請求項８】
請求項３または請求項４のいずれか一項に記載のシャッタ付き光コネクタアダプタにおいて、
　（ａ）前記第一の光コネクタプラグと前記第二の光コネクタプラグとが対向して挿抜されるプラグ挿抜孔が設けられたアダプタ本体と、
　（ｂ）前記第一の光コネクタプラグの側部と係脱する第一の突起部と前記第二の光コネクタプラグの側部と係脱する第二の突起部とを有する一対のラッチ部材と、を備え、
前記プラグ挿抜孔の内面には、前記アダプタ本体の幅方向に間隔を隔てて一対形成され、前記ラッチ部材が夫々取り付けられるラッチ部材取付溝が設けられており、前記ラッチ部材には、挿し入れ深さを定めるストッパと、挿し入れ位置を保持する係合部とを有し、前記ラッチ部材取付溝は、前記ラッチ部材のストッパが当接する段差部と、前記ラッチ部材の係合部が係合する被係合部とを有し、前記ラッチ部材は、前記被係合部が位置するプラグ挿抜孔と対向するプラグ挿抜孔の側から挿し入れられることを特徴とするシャッタ付き光コネクタアダプタ。
　【請求項９】
請求項８記載のシャッタ付き光コネクタアダプタにおいて、前記アダプタ本体は、一体成形されていることを特徴とするシャッタ付き光コネクタアダプタ。
　【請求項１０】
請求項８または請求項９のいずれかに記載のシャッタ付き光コネクタアダプタにおいて、前記ラッチ部材は、センタ部と、該センタ部から前記ラッチ部材係合溝の軸方向の一方に延出され先端に前記第一の突起部が形成された第一の突起部用片持梁と、前記センタ部から前記軸方向の他方に延出され先端に前記第二の突起部が形成された第二の突起部用片持梁と、前記センタ部から前記第二の突起部用片持梁をアダプタ本体厚さ方向に挟むようにして前記軸方向の他方に延出され先端に前記係合部が形成された係合部用片持梁と、該係合部用片持梁と前記第二の突起部用片持梁との間に形成されたスリット部と、を有することを特徴とするシャッタ付き光コネクタアダプタ。
　【請求項１１】
請求項１０に記載のシャッタ付き光コネクタアダプタにおいて、前記ラッチ部材は、前記ラッチ部材係合溝の軸方向と平行な中心軸に対して、アダプタ本体厚さ方向に上下対称であることを特徴とするシャッタ付き光コネクタアダプタ。
　【請求項１２】
第一の光コネクタプラグが挿抜される第一のプラグ挿抜孔と第二の光コネクタプラグが挿抜される第二のプラグ挿抜孔とが対向して設けられた光コネクタアダプタと、光ファイバが支持され、前記第一のプラグ挿抜孔に挿し入れられた第一の光コネクタプラグと、を備えた光コネクタアセンブリであって、前記光コネクタアダプタは、
　（ａ）前記第一のプラグ挿抜孔および前記第二のプラグ挿抜孔が設けられたアダプタ本体と、
　（ｂ）前記第二のプラグ挿抜孔に配置されたシャッタ板と、
　（ｃ）放熱機能を有する高光パワー対策手段と、を備え、
　前記第一の光コネクタプラグに支持された光ファイバから前記第二のプラグ挿抜孔に向かって光が出射され、前記光が前記第二のプラグ挿抜孔に配置された前記シャッタ板によって反射され、前記第二のプラグ挿抜孔の側壁に向かって照射され、前記側壁の、前記光が照射される範囲の全体または一部には、前記放熱機能を有する高光パワー対策手段として、前記プラグ挿抜孔から前記アダプタ本体の外部に貫通する貫通部が設けられており、前記貫通部には、放熱機能を備えた窓部材が装着されていることを特徴とする光コネクタアセンブリ。
　【請求項１３】
請求項１２記載の光コネクタアセンブリにおいて、前記光が１５分間出射された後における前記第二のプラグ挿抜孔が設けられた側のアダプタ本体の端面の温度が１００℃を超えないことを特徴とする光コネクタアセンブリ。
　【請求項１４】
請求項１２または請求項１３のいずれかに記載の光コネクタアセンブリに用いられるシャッタ付き光コネクタアダプタ。
　【請求項１５】
請求項１４に記載の光コネクタアセンブリに用いられる光コネクタアダプタであって、前記放熱機能を備えた窓部材の材質は、前記アダプタ本体の材質よりも高い熱伝導率をもつ材質からなることを特徴とするシャッタ付き光コネクタアダプタ。
　【請求項１６】
請求項１５に記載のシャッタ付き光コネクタアダプタにおいて、前記アダプタ本体の材質が、熱伝導率が０．５Ｗ／ｍ・Ｋ以下の熱可塑性樹脂からなり、前記放熱機能を備えた窓部材の材質が、ステンレス鋼、アルミニウム合金、亜鉛合金または銅合金のいずれかからなることを特徴とするシャッタ付き光コネクタアダプタ。
　【請求項１７】
請求項１５または請求項１６のいずれか一項に記載のシャッタ付き光コネクタアダプタにおいて、前記放熱機能を備えた窓部材の表面の全体または一部が、波長１．３１μｍにおける光の反射率が、前記アダプタ本体の波長１．３１μｍにおける光の反射率よりも小さいことを特徴とするシャッタ付き光コネクタアダプタ。
　【請求項１８】
請求項１４から請求項１７までのいずれか一項に記載のシャッタ付き光コネクタアダプタにおいて、前記放熱機能を備えた窓部材の表面の全体または一部が黒色であることを特徴とするシャッタ付き光コネクタアダプタ。
　【請求項１９】
請求項１４に記載のシャッタ付き光コネクタアダプタにおいて、
　（ａ）前記第一の光コネクタプラグと前記第二の光コネクタプラグとが対向して挿抜されるプラグ挿抜孔が設けられたアダプタ本体と、
　（ｂ）前記第一の光コネクタプラグの側部と係脱する第一の突起部と前記第二の光コネクタプラグの側部と係脱する第二の突起部とを有する一対のラッチ部材と、を備え、
前記プラグ挿抜孔の内面には、前記アダプタ本体の幅方向に間隔を隔てて一対形成され、前記ラッチ部材が夫々取り付けられるラッチ部材取付溝が設けられており、前記ラッチ部材には、挿し入れ深さを定めるストッパと、挿し入れ位置を保持する係合部とを有し、前記ラッチ部材取付溝は、前記ラッチ部材のストッパが当接する段差部と、前記ラッチ部材の係合部が係合する被係合部とを有し、前記ラッチ部材は、前記被係合部が位置するプラグ挿抜孔と対向するプラグ挿抜孔の側から挿し入れられることを特徴とするシャッタ付き光コネクタアダプタ。
　【請求項２０】
請求項１９に記載のシャッタ付き光コネクタアダプタにおいて、前記アダプタ本体は、一体成形されていることを特徴とするシャッタ付き光コネクタアダプタ。
　【請求項２１】
請求項１９または請求項２０のいずれかに記載のシャッタ付き光コネクタアダプタにおいて、前記ラッチ部材は、センタ部と、該センタ部から前記ラッチ部材係合溝の軸方向の一方に延出され先端に前記第一の突起部が形成された第一の突起部用片持梁と、前記センタ部から前記軸方向の他方に延出され先端に前記第二の突起部が形成された第二の突起部用片持梁と、前記センタ部から前記第二の突起部用片持梁をアダプタ本体厚さ方向に挟むようにして前記軸方向の他方に延出され先端に前記係合部が形成された係合部用片持梁と、該係合部用片持梁と前記第二の突起部用片持梁との間に形成されたスリット部と、を有することを特徴とするシャッタ付き光コネクタアダプタ。
　【請求項２２】
請求項２１に記載のシャッタ付き光コネクタアダプタにおいて、前記ラッチ部材は、前記ラッチ部材係合溝の軸方向と平行な中心軸に対して、アダプタ本体厚さ方向に上下対称であることを特徴とするシャッタ付き光コネクタアダプタ。